(57)【要約】【課題】撮影した画像を記録媒体に記録した後、記録された画像に所定の補正を行って記録媒体に記録するよう構成された撮像装置における撮影間隔を短時間にでき、更に、撮影可能枚数も減少しない撮像装置を得ること。【解決手段】撮像光学系と、撮像素子と、撮像素子による被写体光の光電変換出力に所定の処理を施し画像データとする第１の信号処理手段と、画像データを記録する記録媒体と、記録媒体に記録された画像データを読み出して補正し、補正後の画像データを記録媒体に記録する第２の信号処理手段と、を有する撮像装置であって、第２の信号処理手段は撮像装置の終了動作時に動作する撮像装置とする。【選択図】図４
2008131551.tif 000002
【特許請求の範囲】
【請求項１】
被写体光を導く撮像光学系と、該撮像光学系により導かれた被写体光を光電変換する撮像素子と、該撮像素子による被写体光の光電変換出力に所定の処理を施し画像データとする第１の信号処理手段と、前記画像データを記録する記録媒体と、該記録媒体に記録された前記画像データを読み出して補正し、補正後の画像データを記録媒体に記録する第２の信号処理手段と、を有する撮像装置であって、
前記撮像装置は、所定の操作により、撮影可能状態とする起動動作及び撮影不能状態とする終了動作を行うよう構成され、前記第２の信号処理手段は前記撮像装置の終了動作時に処理を行うことを特徴とする撮像装置。
【請求項２】
被写体光を導く撮像光学系と、該撮像光学系により導かれた被写体光を光電変換する撮像素子と、該撮像素子による被写体光の光電変換出力に所定の処理を施し画像データとする第１の信号処理手段と、前記画像データを記録する記録媒体と、該記録媒体に記録された前記画像データを読み出して補正し、補正後の画像データを記録媒体に記録する第２の信号処理手段と、を有する撮像装置であって、
前記撮像装置は、充電可能な電池を有し、クレードルに載置することにより前記電池に充電が行われるように構成され、前記第２の信号処理手段は前記撮像装置が前記クレードルに載置された際に処理を行うことを特徴とする撮像装置。
【請求項３】
被写体光を導く撮像光学系と、該撮像光学系により導かれた被写体光を光電変換する撮像素子と、該撮像素子による被写体光の光電変換出力に所定の処理を施し画像データとする第１の信号処理手段と、前記画像データを記録する記録媒体と、該記録媒体に記録された前記画像データを読み出して補正し、補正後の画像データを記録媒体に記録する第２の信号処理手段と、を有する撮像装置であって、
前記撮像装置は、充電可能な電池と、ＵＳＢケーブル端子と、を有し、ＵＳＢケーブルが接続されることにより前記電池に充電が行われるように構成され、前記第２の信号処理手段は前記撮像装置が前記ＵＳＢケーブルと接続された際に処理を行うことを特徴とする撮像装置。
【請求項４】
前記第２の信号処理手段は、撮影画像の歪曲収差の補正、高感度撮影時のノイズ除去、コマ収差補正、倍率色収差補正、軸上色収差補正、手振れ補正の少なくとも一つを行うことを特徴とする請求項１〜３のいずれか１項に記載の撮像装置。
【発明の詳細な説明】
【技術分野】
【０００１】
本発明は、撮影により記録媒体に記録された画像データを補正し、補正後の画像データを記録媒体に記録する撮像装置に関するものである。
【背景技術】
【０００２】
従来より、カメラで撮影された画像を記録媒体に記録した後、該記録媒体に記録した画像データを読み出し、所定の補正を行った後、再度記録媒体に記録する画像処理システムが知られている。
【０００３】
このような画像処理システムとして、ズームレンズの各焦点距離における無限遠と最至近距離での歪曲収差情報と撮影した画像データを記録した記録媒体を有するカメラと、この記録媒体から歪曲収差情報と画像データを読み出し、画像の歪曲収差を補正する画像処理装置とで構成された画像処理システムがある（例えば、特許文献１参照）。
【特許文献１】特開２０００−１２５１７５号公報
【発明の開示】
【発明が解決しようとする課題】
【０００４】
しかしながら、上記特許文献１の画像処理システムでは、カメラとは別に画像処理を行う画像処理装置を必要とし、大がかりで高価なシステムとなってしまう。
【０００５】
また、上記のような処理をカメラ単体で行おうとした場合、１コマずつの撮影の合間に補正処理を行うと、処理のために長時間を要し、次のコマが撮影可能となるまでの撮影間隔が長くなりシャッターチャンスを逃すことにもなりかねない。
【０００６】
更には、撮影動作以外の、この処理のために電力を消耗し、１回のフル充電での撮影可能枚数が低下してしまう問題もある。
【０００７】
本発明は上記問題に鑑み、撮影した画像を記録媒体に記録した後、記録された画像に所定の補正を行って記録媒体に記録するよう構成された撮像装置における撮影間隔を短時間にでき、更に、撮影可能枚数も減少しない撮像装置を得ることを目的とするものである。
【課題を解決するための手段】
【０００８】
上記の目的は、下記に記載する発明により達成される。
【０００９】
１．被写体光を導く撮像光学系と、該撮像光学系により導かれた被写体光を光電変換する撮像素子と、該撮像素子による被写体光の光電変換出力に所定の処理を施し画像データとする第１の信号処理手段と、前記画像データを記録する記録媒体と、該記録媒体に記録された前記画像データを読み出して補正し、補正後の画像データを記録媒体に記録する第２の信号処理手段と、を有する撮像装置であって、前記撮像装置は、所定の操作により、撮影可能状態とする起動動作及び撮影不能状態とする終了動作を行うよう構成され、前記第２の信号処理手段は前記撮像装置の終了動作時に処理を行うことを特徴とする撮像装置。
【００１０】
２．被写体光を導く撮像光学系と、該撮像光学系により導かれた被写体光を光電変換する撮像素子と、該撮像素子による被写体光の光電変換出力に所定の処理を施し画像データとする第１の信号処理手段と、前記画像データを記録する記録媒体と、該記録媒体に記録された前記画像データを読み出して補正し、補正後の画像データを記録媒体に記録する第２の信号処理手段と、を有する撮像装置であって、前記撮像装置は、充電可能な電池を有し、クレードルに載置することにより前記電池に充電が行われるように構成され、前記第２の信号処理手段は前記撮像装置が前記クレードルに載置された際に処理を行うことを特徴とする撮像装置。
【００１１】
３．被写体光を導く撮像光学系と、該撮像光学系により導かれた被写体光を光電変換する撮像素子と、該撮像素子による被写体光の光電変換出力に所定の処理を施し画像データとする第１の信号処理手段と、前記画像データを記録する記録媒体と、該記録媒体に記録された前記画像データを読み出して補正し、補正後の画像データを記録媒体に記録する第２の信号処理手段と、を有する撮像装置であって、前記撮像装置は、充電可能な電池と、ＵＳＢケーブル端子と、を有し、ＵＳＢケーブルが接続されることにより前記電池に充電が行われるように構成され、前記第２の信号処理手段は前記撮像装置が前記ＵＳＢケーブルと接続された際に処理を行うことを特徴とする撮像装置。
【００１２】
４．前記第２の信号処理手段は、撮影画像の歪曲収差の補正、高感度撮影時のノイズ除去、コマ収差補正、倍率色収差補正、軸上色収差補正、手振れ補正の少なくとも一つを行うことを特徴とする１〜３のいずれかに記載の撮像装置。
【発明の効果】
【００１３】
本発明によれば、撮影した画像を記録媒体に記録した後、記録された画像に所定の補正を行って記録媒体に記録するよう構成された撮像装置であっても、撮影間隔を短時間にでき、更に、撮影可能枚数も減少しない撮像装置を得ることが可能となる。
【発明を実施するための最良の形態】
【００１４】
以下、実施の形態により本発明を詳しく説明するが、本発明はこれに限定されるものではない。
【００１５】
（第１の実施の形態）
図１は、第１の実施形態に係る撮像装置の一例であるカメラ１を示す外観図である。同図（ａ）はカメラ１の前面の斜視図、同図（ｂ）はカメラ１の背面の斜視図である。
【００１６】
同図（ａ）において、１００はレンズ鏡胴であり、内部にはズーム撮像光学系が内包されている。１１１はファインダ窓、１１２はレリーズボタン、１１３はフラッシュ発光部、１１４は調光用センサ窓、１１５はストラップ取り付け部、１１６は外部入出力端子（例えば、ＵＳＢ端子）である。
【００１７】
１１７はスライドバリアであり、スライドバリア１１７の移動により不図示のスイッチをＯＮ又はＯＦＦさせ、開状態で図示のようにレンズ鏡胴１００は撮影可能状態となり、閉方向へ少し移動させることでレンズ鏡胴１００は沈胴する。スライドバリア１１７の所定の動作即ち開閉操作により、撮影可能状態とする起動動作及び撮影不能状態とする終了動作を行うようになっている。
【００１８】
レリーズボタン１１２はその１段の押し込み（半押し状態のことであり、スイッチＳ１ＯＮと称す）によりカメラ１の撮影準備動作、即ち焦点合わせ動作や測光動作が行われ、その２段の押し込み（全押し状態のことであり、スイッチＳ２ＯＮと称す）により撮影露光動作が行われる。
【００１９】
同図（ｂ）において、１２０はファインダ接眼部、１２１は赤と緑の表示ランプであり、ＡＦやＡＥの情報を、点灯もしくは点滅により撮影者に表示するものである。１２２はズームボタンであり、ズームアップ、ズームダウンをおこなうボタンである。１２３はメニュー／セットボタン、１２４は選択ボタンで４方向スイッチであり、１２５は画像表示部であり画像やその他文字情報等を表示する。メニュー／セットボタン１２３で、画像表示部１２５上に各種のメニューを表示させ、選択ボタン１２４で選択し、メニュー／セットボタン１２３で確定させる機能を有している。操作者は画像表示部１２５上に表示されるメニューから静止画撮影モード、動画撮影モードなどの撮影モードを選択ボタン１２４で選択し、メニュー／セットボタン１２３で確定させることで撮影モードを選択できる。
【００２０】
１２６は再生ボタンで、撮影した画像の再生をおこなうボタンである。１２７はディスプレイボタンで、画像表示部１２５に表示された画像やその他文字情報の表示や消去を選択するボタンである。１２８は消去ボタンで、撮影記録した画像の消去をおこなうボタンである。１２９は三脚穴、１３０は電池／カード蓋である。電池／カード蓋１３０の内部には、本カメラの電源を供給する電池と、撮影した画像を記録するカード用のスロットが備えられており、電池及び画像を記録するＳＤカードなどのカード型の記録媒体である図示せぬメモリカード２５が挿脱可能になっている。
【００２１】
図２は、第１の実施の形態に係る撮像装置の一例であるカメラ１の機能ブロック図である。図中、図１と同じ部分には同じ番号を付与した。
【００２２】
本実施の形態における制御手段であるカメラ制御部７は、ＣＰＵ７０（中央処理装置）、ＲＡＭ７５，ＲＯＭ７６等から構成され、不揮発性の記憶部であるＲＯＭ７６に記憶されているプログラムをＲＡＭ７５に読み出し、当該プログラムに従ってレンズ鏡胴１００及びレンズ鏡胴のレンズ群を含むカメラ１の各部を集中制御する。
【００２３】
また、カメラ制御部７は、操作部６０に設けられたレリーズボタン１１２、ズームボタン１２２、メニュー／セットボタン１２３、選択ボタン１２４、再生ボタン１２６、ディスプレイボタン１２７、消去ボタン１２８、スライドバリア１１７等からの入力に基づいてカメラ１全体を制御する。２６は電源である電池であり、カメラ各部に電源を供給している。
【００２４】
カメラ制御部７は、撮影に関するシーケンスを司っている。カメラ制御部７は、ＣＣＤ駆動部６を介してＣＣＤ５の撮像動作を制御する。なお、本実施形態において撮像素子は、ＣＣＤに代えて、ＣＭＯＳセンサ、ＣＩＤセンサ等の固体撮像素子であってもよい。ＣＣＤ５にて取得されたアナログ信号の画像はＡ／Ｄ変換部２１にてノイズ除去の処理後デジタル信号に変換され、画像処理部２２に画像のデジタル信号を順次出力する。
【００２５】
画像処理部２２はガンマ補正、輪郭補正、画像の拡大、縮小、画像圧縮などの画像処理機能を有する。これらの画像処理もカメラ制御部７の指令により行われる。
【００２６】
カメラ制御部７はＣＣＤ５の画像出力を画像処理後、静止画ファイルまたは動画ファイルとして、画像メモリ２３に一旦記録する。次に、画像メモリ２３に一時記録された画像データのファイルを記録媒体であるメモリカード２５に記録する。
【００２７】
更に、カメラ制御部７内のＣＰＵ７０は、メモリカード２５に記録された画像データを読み出し、予めＲＯＭ７６に記録されているレンズデータと補正プログラムに基づいて、読み出した画像データを補正し、補正後の画像データをメモリカード２５に記録する機能をも有している。この補正後の画像データの記録は、新規なファイルとして記録してもよいし、補正前の画像データに上書きしてもよい。
【００２８】
撮影時には、カメラ制御部７は、ズームボタン１１２の操作に基づいてズームフォーカス駆動部３３２を制御しズーミングを行い、ＣＣＤ５の画像出力から得られるピント情報と露出情報に基いて、レンズ群３２のうちのフォーカシングレンズ群を駆動して焦点調節を行い、絞りシャッタ駆動部３３１を制御して、絞り３２を駆動する。
【００２９】
また、カメラ制御部７は、ＣＣＤ５によって撮像された画像のライブビューを、ディスプレイボタン１２７の設定に従って、画像表示部１２５に表示する。
【００３０】
再生時には、メモリーカード２５に記録された画像の縮小画像ファイルを再生し、画像表示部１２７に一覧表示したり、１コマの画像ファイルを再生画像として画像表示部１２７に表示する。
【００３１】
本実施の形態においては、Ａ／Ｄ変換部２１及び画像処理部２２が第１の信号処理手段に相当し、メモリカード２５に記録された画像データを読み出し、補正プログラムに基づいて、画像データを補正し、補正後の画像データのメモリカード２５への記録を行うカメラ制御部７内のＣＰＵ７０が第２の信号処理手段に相当する。
【００３２】
図３及び図４は、第１の実施の形態に係るカメラ１の動作概略を示すフローチャートである。本発明は静止画撮影モードに関わるものであり、図３及び図４においては他のモードは省略し、静止画撮影モード時の動作についてのみ示したものである。図３及び図４に示すフローに、従い説明する。
【００３３】
図３のフローチャートにおいて、まず、スライドバリアが開状態か、判断する（ステップＳ１０１）。開状態と判断されると（ステップＳ１０１；Ｙｅｓ）、静止画撮影モードに設定されているか判断する（ステップＳ１０２）。静止画撮影モード以外に設定された場合には（ステップＳ１０２；Ｎｏ）、他の指定されたモードへ移行する（ステップＳ２０１）。
【００３４】
静止画撮影モードに設定されている場合（ステップＳ１０２；Ｙｅｓ）には、レリーズ釦が半押し状態即ちスイッチＳ１がＯＮされるのを待機する（ステップＳ１０３）。スイッチＳ１がＯＮされない状態（ステップＳ１０３；Ｎｏ）では、ステップＳ１０１〜ステップＳ１０３を繰り返す。
【００３５】
スイッチＳ１がＯＮされる（ステップＳ１０３；Ｙｅｓ）と、撮影準備動作が行われる（ステップＳ１０４）。撮影準備動作とは、焦点合わせ動作や測光動作である。撮影準備動作終了後に、再度スイッチＳ１がＯＮされているか判断する（ステップＳ１０５）。スイッチＳ１がＯＮされていない場合（ステップＳ１０５；Ｎｏ）には、ステップＳ１０３に戻る。スイッチＳ１がＯＮされている場合（ステップＳ１０５；Ｙｅｓ）には、レリーズ釦が全押し状態即ちスイッチＳ２がＯＮされるのを待機する（ステップＳ１０６）。
【００３６】
スイッチＳ２がＯＮされていない場合（ステップＳ１０６；Ｎｏ）には、ステップＳ１０５に戻り、スイッチＳ２がＯＮされた場合（ステップＳ１０６；Ｙｅｓ）には、撮影が行われる（ステップＳ１０７）。
【００３７】
この後、上述の第１の信号処理手段により、撮像素子による光電変換出力に所定の処理が施され画像データとして、記録媒体であるメモリーカードに記録（ステップＳ１０８）されて１コマの撮影が完了し、ステップＳ１０１に戻る。
【００３８】
一方、ステップＳ１０１で、スライドバリアが閉状態であると判断された場合（ステップＳ１０１；Ｎｏ）は、各部の終了動作（ステップＳ１２０）を行い、第２の信号処理手段による画像処理を行い（ステップＳ１２１）、第２の信号処理手段による画像処理が完了した後、終了する。
【００３９】
図４は、ステップＳ１２０及びステップＳ１２１の動作をより詳しくしたフローチャートである。本例は、第２の信号処理手段による画像処理の対象は公知のいずれかのものであってよいが、歪曲収差の補正の画像処理である場合を例に取って説明する。
【００４０】
図４において、ステップＳ１０１で、スライドバリアが閉状態であると判断された場合（ステップＳ１０１；Ｎｏ）は、各部の終了動作即ち、撮像素子の駆動を停止（ステップＳ１５１）させ、レンズ鏡胴を沈胴させる（ステップＳ１５２）。
【００４１】
このステップＳ１５１及びステップＳ１５２が、図３に示すステップＳ１２０に相当するが、各部の終了動作はこれに限るものでなく、カメラ仕様により種々の動作を含むものである。
【００４２】
この後、第２の信号処理手段による、撮影画像の歪曲収差の補正の処理が行われる。第２の信号処理手段による画像処理は、まず、メモリーカードにアクセス（ステップＳ１５３）し、カード内に記録された画像データのうち、歪曲収差の補正の処理がなされていない未補正画像が有るか判断する（ステップＳ１５４）。
【００４３】
未補正画像が有る場合（ステップＳ１５４；Ｙｅｓ）は、未補正画像処理をメモリーカードから読み出し、所定の補正処理を施す。この補正処理は、該画像が撮影された焦点距離、被写体距離に対応する歪曲収差の情報をもとに、予めＲＯＭ内に書き込まれたプログラムに従って補正処理が施される（ステップＳ１５５）。
【００４４】
補正が完了すると、補正後の画像データは記録媒体であるメモリーカードに記録され（ステップＳ１５６）、終了する。なお、補正後の画像データのメモリーカードへの記録は、補正前の画像データと別のファイルとして記録してもよいし、補正前の画像データに上書きしてもよい。
【００４５】
また、ステップＳ１５４において、歪曲収差の補正の処理がなされていない未補正画像がない場合（ステップＳ１５４；Ｎｏ）には、そのまま終了となる。
【００４６】
このステップＳ１５３〜ステップＳ１５６が、図３に示すステップＳ１２１に相当する。
【００４７】
以上、説明したように、第２の信号処理手段の信号処理を、撮像装置の終了動作時に動作させるよう構成することにより、第２の信号処理を撮影の合間に行う必要がなくなり、撮影間隔の短い撮像装置を得ることが可能となる。
【００４８】
（第２の実施の形態）
図５は、第２の実施形態に係る撮像装置の一例であるカメラ１を示す外観図である。同図（ａ）はカメラ１の前面の斜視図、同図（ｂ）はカメラ１の背面の斜視図である。なお、以下の図においては、説明の重複を避けるため、同機能部材には同符号を付与し、異なる部分についてのみ説明する。
【００４９】
同図に示すカメラ１は、同図（ｂ）に示す底面側にクレードルと接続するための接続端子１１９を有しており、図示のようにカメラ単体状態では、接続端子１１９は蓋により覆われている。
【００５０】
図６は、第２の実施の形態に係るカメラ１用のクレードルの概略を示す図である。
【００５１】
同図において、３０はクレードルであり、クレードル３０の上部にはカメラ装着部を有している。図示していないが、カメラ装着部には、ビデオ信号入力コネクタ、オーディオ信号入力コネクタ、ＵＳＢ接続コネクタが設けられカメラ１との通信が可能となっている。
【００５２】
このクレードル３０には、ＡＣ電源に接続するプラグ３１、ＡＣ電源をＤＣ電源に変換するアダプタにより直流電源が入力できるようになっている。またクレードル３０には、テレビ（以下、ＴＶと称す）に画像を送出するビデオ信号出力コネクタ４１、ＴＶに音声を送出するためのオーディオ信号出力コネクタ４２、パーソナルコンピュータ（以下、ＰＣと称す）と通信を行うためのＵＳＢ接続コネクタ４３が備えられている。このビデオ信号出力コネクタ４１、オーディオ信号出力コネクタ４２から、ケーブルにより、所望のＴＶへビデオ画像及び音声が出力され、ＵＳＢ接続コネクタ４３に接続されたケーブルにより、所望のＰＣとデータの入出力等の通信が行われるようになっている。
【００５３】
また、無線ＬＡＮ（Ｌｏｃａｌ  Ａｒｅａ  Ｎｅｔｗｏｒｋ）用のアンテナを設け、この無線ＬＡＮ用のアンテナにより、無線ＬＡＮ機能を有するＰＣや無線ＬＡＮブロードバンドルータとの通信を行うようにしてもよい。
【００５４】
図７は、第２の実施の形態に係る撮像装置の一例であるカメラ１の機能ブロック図である。同図については、図２のブロック図と異なる部分について説明する。
【００５５】
同図に示すように、クレードル接続端子１１９はクレードル３０と接続がなされるようになっている。このクレードル３０及びクレードル接続端子１１９を介して、電池２６の充電がなされるようになっている。なお、クレードル接続端子１１９は、電源ライン及び信号授受等のための複数の接点を有している。
【００５６】
図８は、第２の実施の形態に係るカメラ１がクレードル３０に載置された際の動作概略を示すフローチャートである。以下、同図に示すフローに従い説明する。
【００５７】
カメラがクレードルに載置される（ステップＳ２０１）と、クレードル接続端子を介して、カメラ側の電池の充電が開始される（ステップＳ２０２）。
【００５８】
この後、カメラ内では第２の信号処理手段による、撮影画像の歪曲収差の補正の処理が行われる。第２の信号処理手段による画像処理は、まず、メモリーカードにアクセス（ステップＳ２０３）し、カード内に記録された画像データのうち、歪曲収差の補正の処理がなされていない未補正画像が有るか判断する（ステップＳ２０４）。
【００５９】
未補正画像が有る場合（ステップＳ２０４；Ｙｅｓ）は、未補正画像処理をメモリーカードから読み出し、所定の補正処理を施す。この補正処理は、該画像が撮影された焦点距離、被写体距離に対応する歪曲収差の情報をもとに、予めＲＯＭ内に書き込まれたプログラムに従って補正処理が施される（ステップＳ２０５）。
【００６０】
補正が完了すると、補正後の画像データは記録媒体であるメモリーカードに記録される（ステップＳ２０６）。また、ステップＳ２０４において、歪曲収差の補正の処理がなされていない未補正画像がない場合（ステップＳ２０４；Ｎｏ）には、ステップＳ２０７へジャンプする。
【００６１】
次いで、ステップＳ２０７で、クレードルを介してＰＣ（パーソナルコンピュータ）と通信を開始（ステップＳ２０７）し、メモリーカードに記録されている補正後の画像データをＰＣへ送出（ステップＳ２０８）する。なお、充電は、フル充電されると停止するようになっている。
【００６２】
このように、クレードルに載置することにより電池に充電が行われるように構成され、第２の信号処理手段は撮像装置がクレードルに載置された際に動作する撮像装置とすることにより、第２の信号処理を撮影の合間に行う必要がなくなり、撮影間隔を短時間にでき、更に、クレードルに載置された非撮影時に第２の信号処理を行うよう構成することで撮影中の電力消費を必要とせず、撮影可能枚数も減少しない撮像装置を得ることが可能となる。
【００６３】
（第３の実施の形態）
第３の実施の形態に係るカメラの外観図は、図１に示すものと同様であるので省略する。
【００６４】
図９は、第３の実施の形態に係る撮像装置の一例であるカメラ１の機能ブロック図である。同図については、図２のブロック図と異なる部分について説明する。
【００６５】
同図に示すように、外部入出力端子１１６は、ＵＳＢケーブルを介しＰＣと接続がなされるようになっている。このＵＳＢケーブルから外部入出力端子１１６を介して電池２６の充電がなされるようになっている。なお、ＵＳＢケーブルは、電源ライン及び信号授受等のための複数の接点を有している。
【００６６】
図１０は、第３の実施の形態に係るカメラ１がＵＳＢケーブルを介してＰＣに接続された際の動作概略を示すフローチャートである。以下、同図に示すフローに従い説明する。
【００６７】
カメラとＰＣがＵＳＢケーブルで接続される（ステップＳ３０１）と、ホスト側であるＰＣがカメラを認識する（ステップＳ３０２）。更に、ＵＳＢケーブルを介してカメラ側の電池の充電が開始される（ステップＳ３０３）。
【００６８】
この後、カメラ内では第２の信号処理手段による、撮影画像の歪曲収差の補正の処理が行われる。第２の信号処理手段による画像処理は、まず、メモリーカードにアクセス（ステップＳ３０４）し、カード内に記録された画像データのうち、歪曲収差の補正の処理がなされていない未補正画像が有るか判断する（ステップＳ３０５）。
【００６９】
未補正画像が有る場合（ステップＳ３０５；Ｙｅｓ）は、未補正画像処理をメモリーカードから読み出し、所定の補正処理を施す。この補正処理は、該画像が撮影された焦点距離、被写体距離に対応する歪曲収差の情報をもとに、予めＲＯＭ内に書き込まれたプログラムに従って補正処理が施される（ステップＳ３０６）。
【００７０】
補正が完了すると、補正後の画像データは記録媒体であるメモリーカードに記録される（ステップＳ３０７）。また、ステップＳ３０５において、歪曲収差の補正の処理がなされていない未補正画像がない場合（ステップＳ３０５；Ｎｏ）には、ステップＳ３０８へジャンプする。
【００７１】
次いで、ステップＳ３０８で、ＵＳＢケーブルを介してＰＣ（パーソナルコンピュータ）と通信を開始（ステップＳ３０８）し、メモリーカードに記録されている補正後の画像データをＰＣへ送出（ステップＳ３０９）する。なお、充電は、フル充電されると停止するようになっている。
【００７２】
このように、ＵＳＢケーブルを介してＰＣと接続することにより電池に充電が行われるように構成され、第２の信号処理手段はＵＳＢケーブルを介してＰＣと接続された際に動作する撮像装置とすることにより、第２の信号処理を撮影の合間に行う必要がなくなり、撮影間隔を短時間にでき、更に、ＵＳＢケーブルを介してＰＣと接続された非撮影時に第２の信号処理を行うよう構成することで撮影中の電力消費を必要とせず、撮影可能枚数も減少しない撮像装置を得ることが可能となる。
【００７３】
なお、上記の実施の形態では、第２の信号処理手段による補正例を、歪曲収差の補正で説明したが、高感度撮影時のノイズの除去、コマ収差補正、倍率色収差補正、軸上色収差補正、手振れ補正等であってもよい。
【００７４】
なお、高感度撮影時のノイズの除去については、例えば、撮影時に同時に記録されるＥｘｉｆファイルから得られる撮影時に使用した感度に基づいて補正が行われる。コマ収差補正については、例えば、同様にＥｘｉｆファイルから得られる撮影時の焦点距離、Ｆナンバ、撮影距離及び予めそれらに対応したＲＯＭ等に記録されている、レンズ設計に基づいたコマ収差補正情報により補正が行われる。同様に、倍率色収差については、例えばＥｘｉｆファイルから得られる撮影時の焦点距離、Ｆナンバ、撮影距離及び予めそれらに対応したＲＯＭ等に記録されているレンズ設計に基づいた倍率色収差補正情報により補正が行われる。また、軸上色収差については、同一被写体を異なる撮影距離設定で連写した複数枚の画像と、撮影時の焦点距離、Ｆナンバ、その被写体に対する最適な撮影距離及びそれらに対応したＲＯＭ等に記録されているレンズ設計に基づいた軸上色収差補正情報により補正が行われる。また、本例における手振れ補正は、高速のシャッター秒時で同一被写体を連写し複数枚の画像をメモリーカードに記録しておき、第２の信号処理手段で、連写した複数枚の画像の被写体をズレがないように重ね合わせて１枚の画像とするものである。
【００７５】
なお、上記の実施の形態では、スライドバリアの操作で撮影可能状態とする起動動作及び撮影不能状態とする終了動作を行う例で説明したが、その他のボタンによる操作のものであってもよいのはもちろんである。
【図面の簡単な説明】
【００７６】
【図１】第１の実施形態に係る撮像装置の一例であるカメラを示す外観図である。
【図２】第１の実施の形態に係る撮像装置の一例であるカメラの機能ブロック図である。
【図３】第１の実施の形態に係るカメラの動作概略を示すフローチャートである。
【図４】第１の実施の形態に係るカメラの動作概略を示すフローチャートである。
【図５】第２の実施形態に係る撮像装置の一例であるカメラを示す外観図である。
【図６】第２の実施の形態に係るカメラ用のクレードルの概略を示す図である。
【図７】第２の実施の形態に係る撮像装置の一例であるカメラの機能ブロック図である。
【図８】第２の実施の形態に係るカメラがクレードルに載置された際の動作概略を示すフローチャートである。
【図９】第３の実施の形態に係る撮像装置の一例であるカメラの機能ブロック図である。
【図１０】第３の実施の形態に係るカメラがＵＳＢケーブルを介してＰＣに接続された際の動作概略を示すフローチャートである。
【符号の説明】
【００７７】
１  カメラ
２５  メモリーカード
３０  クレードル
１００  レンズ鏡胴
１１１  ファインダ窓
１１２  レリーズ釦
１１３  フラッシュ発光部
１１４  調光用センサ窓
１１５  ストラップ取り付け部
１１６  外部入出力端子（ＵＳＢ端子）
１１７  スライドバリア
１１９  クレードル接続端子
１２０  ファインダ接眼部
１２２  ズームボタン
１２３  メニュー／セットボタン
１２４  選択ボタン
１２５  画像表示部
１２６  再生ボタン
１２７  ディスプレイボタン
１２８  消去ボタン
１２９  三脚穴
１３０  電池／カード蓋
【図１】
2008131551.tif 000003
【図２】
2008131551.tif 000004
【図３】
2008131551.tif 000005
【図４】
2008131551.tif 000006
【図５】
2008131551.tif 000007
【図６】
2008131551.tif 000008
【図７】
2008131551.tif 000009
【図８】
2008131551.tif 000010
【図９】
2008131551.tif 000011
【図１０】
2008131551.tif 000012